(57)【要約】【課題】ＣＳＦＢ用の規制方式に対応しているか否かに関わらず、移動局に対して適切にＣＳＦＢの発信規制を行う。【解決手段】本発明に係る移動通信方法は、交換局ＭＭＥが、発信規制中に「Ｅｘｔｅｎｄｅｄ  Ｓｅｒｖｉｃｅ  Ｒｅｑｕｅｓｔ」を受信した場合で、かつ、ＣＳＦＢ規制能力情報によって移動局ＵＥがＣＳＦＢ用の規制方式に対応していると判定した場合に、移動局ＵＥのＣＳＦＢに係る処理を行う工程と、交換局ＭＭＥが、発信規制中に「Ｅｘｔｅｎｄｅｄ  Ｓｅｒｖｉｃｅ  Ｒｅｑｕｅｓｔ」を受信した場合で、かつ、ＣＳＦＢ規制能力情報によって移動局ＵＥがＣＳＦＢ用の規制方式に対応していないと判定した場合に、移動局ＵＥに対して「Ｓｅｒｖｉｃｅ  Ｒｅｊｅｃｔ」を送信する工程とを有する。【選択図】図４
2011228965.tif 000002
【特許請求の範囲】
【請求項１】
回線交換通信をサポートしない第１通信方式の無線アクセスネットワーク配下のセルで待ち受けを行っている移動局が、回線交換通信をサポートしている第２通信方式の無線アクセスネットワーク配下のセルに切り替わって回線交換通信を開始することができる切替通信を提供する移動通信システムにおける移動通信方法であって、
移動局が、前記第１通信方式の交換局に対して、前記切替通信用の規制方式に対応しているか否かについて示す能力情報を含む発信要求信号を送信する工程と、
前記交換局が、発信規制中に前記発信要求信号を受信した場合で、かつ、前記能力情報によって前記移動局が前記切替通信用の規制方式に対応していると判定した場合に、該移動局の該切替通信に係る処理を行う工程と、
前記交換局が、発信規制中に前記発信要求信号を受信した場合で、かつ、前記能力情報によって前記移動局が前記切替通信用の規制方式に対応していないと判定した場合に、該移動局に対して、発信拒否信号を送信する工程とを有することを特徴とする移動通信方法。
【請求項２】
回線交換通信をサポートしない第１通信方式の無線アクセスネットワーク配下のセルで待ち受けを行っている移動局が、回線交換通信をサポートしている第２通信方式の無線アクセスネットワーク配下のセルに切り替わって回線交換通信を開始することができる切替通信を提供する移動通信システムで用いられる該第１通信方式の交換局であって、
発信規制中に移動局から発信要求信号を受信した場合で、かつ、該発信要求信号に含まれる能力情報によって該移動局が前記切替通信用の規制方式に対応していると判定した場合に、該移動局の該切替通信に係る処理を行うように構成されている通信処理部と、
発信規制中に前記移動局から前記発信要求信号を受信した場合で、かつ、該発信要求信号に含まれる能力情報によって該移動局が前記切替通信用の規制方式に対応していないと判定した場合に、該移動局に対して、発信拒否信号を送信するように構成されている規制部とを具備することを特徴とする交換局。
【請求項３】
回線交換通信をサポートしない第１通信方式の無線アクセスネットワーク配下のセルで待ち受けを行っている移動局が、回線交換通信をサポートしている第２通信方式の無線アクセスネットワーク配下のセルに切り替わって回線交換通信を開始することができる切替通信を提供する移動通信システムで用いられる移動局であって、
前記第１通信方式の交換局に対して、前記切替通信用の規制方式に対応しているか否かについて示す能力情報を含む発信要求信号を送信するように構成されている通信処理部を具備することを特徴とする移動局。
【請求項４】
回線交換通信をサポートしない第１通信方式の無線アクセスネットワーク配下のセルで待ち受けを行っている移動局が、回線交換通信をサポートしている第２通信方式の無線アクセスネットワーク配下のセルに切り替わって回線交換通信を開始することができる切替通信を提供する移動通信システムにおける移動通信方法であって、
前記第１通信方式の交換局が、移動局の位置登録処理において、前記切替通信用の規制方式に対応しているか否かについて示す能力情報を取得する工程と、
前記交換局が、発信規制中に前記移動局から発信要求信号を受信した場合で、かつ、前記能力情報によって前記移動局が前記切替通信用の規制方式に対応していると判定した場合に、該移動局の該切替通信に係る処理を行う工程と、
前記交換局が、発信規制中に前記移動局から発信要求信号を受信した場合で、かつ、前記能力情報によって前記移動局が前記切替通信用の規制方式に対応していないと判定した場合に、該移動局に対して、発信拒否信号を送信する工程とを有することを特徴とする移動通信方法。
【請求項５】
回線交換通信をサポートしない第１通信方式の無線アクセスネットワーク配下のセルで待ち受けを行っている移動局が、回線交換通信をサポートしている第２通信方式の無線アクセスネットワーク配下のセルに切り替わって回線交換通信を開始することができる切替通信を提供する移動通信システムで用いられる該第１通信方式の交換局であって、
移動局の位置登録処理において、前記切替通信用の規制方式に対応しているか否かについて示す能力情報を取得するように構成されている取得部と、
発信規制中に前記移動局から発信要求信号を受信した場合で、かつ、前記能力情報によって該移動局が前記切替通信用の規制方式に対応していると判定した場合に、該移動局の該切替通信に係る処理を行うように構成されている通信処理部と、
発信規制中に前記移動局から前記発信要求信号を受信した場合で、かつ、前記能力情報によって該移動局が前記切替通信用の規制方式に対応していないと判定した場合に、該移動局に対して、発信拒否信号を送信するように構成されている規制部とを具備することを特徴とする交換局。
【発明の詳細な説明】
【技術分野】
【０００１】
本発明は、移動通信方法、交換局及び移動局に関する。
【背景技術】
【０００２】
Ｅ-ＵＴＲＡＮ（Ｅｖｏｌｖｅｄ-Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ及びＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）が並存し、ＣＳＦＢ（ＣＳ  Ｆａｌｌｂａｃｋ）を提供する移動通信システムにおいて、地震発生時や新年等の特定イベント時等に、多数の移動局ＵＥが、ＣＳＦＢを行うための「Ｅｘｔｅｎｄｅｄ  Ｓｅｒｖｉｃｅ  Ｒｅｑｕｅｓｔ（発信要求信号）」を送信するための「ＲＲＣ  Ｃｏｎｎｅｃｔｉｏｎ  Ｒｅｑｕｅｓｔ（ＲＲＣ接続要求信号）」を送信すると、無線リソースが輻輳し、サービス断が発生してしまうという問題点があった。
【０００３】
かかる問題点を解決するために、３ＧＰＰでは、以下の第１対応策及び第２対応策が適用されることが検討されている。
【０００４】
第１対応策では、無線基地局ｅＮＢが、発信規制対象のセルにおいて、ＣＳＦＢ用の規制率を含む報知情報を送信し、ＣＳＦＢ用の規制方式に対応しているＲｅｌｅａｓｅ以降のＬＴＥ（Ｌｏｎｇ  Ｔｅｒｍ  Ｅｖｏｌｕｔｉｏｎ）方式の移動局ＵＥが、かかる規制情報に応じてＣＳＦＢ用の発信処理を行うか否かについて判定することによって、ＣＳＦＢ用の規制方式に対応しているＲｅｌｅａｓｅ方式以降のＬＴＥ方式の移動局ＵＥに対するＣＳＦＢの発信規制を行うことができる。
【０００５】
ここで、「ＣＳＦＢ用の規制方式に対応している」とは、ＣＳＦＢ用の規制情報（規制率）を読み込むことができ、かかるＣＳＦＢ用の規制情報（規制率）に応じて規制の判定を行うことができる能力を具備していることを示す。
【０００６】
第２対応策では、図９に示す手順を用いて、ＣＳＦＢ用の規制方式に対応していないＲｅｌｅａｓｅのＬＴＥ方式の移動局ＵＥ及びＣＳＦＢ用の規制方式に対応しているＲｅｌｅａｓｅ以降のＬＴＥ方式の移動局ＵＥの両者に対する発信規制を行うことができる。
【０００７】
具体的には、図９に示す手順では、交換局ＭＭＥ（Ｍｏｂｉｌｉｔｙ  Ｍａｎａｇｅｍｅｎｔ  Ｅｎｔｉｔｙ）が、発信規制中に、ステップＳ４００１において、移動局ＵＥから、ＣＳＦＢに係る「Ｅｘｔｅｎｄｅｄ  Ｓｅｒｖｉｃｅ  Ｒｅｑｕｅｓｔ」を受信すると、ステップＳ４００２において、移動局ＵＥに対して、「Ｃａｕｓｅ＃３９」及びタイマ値を含む「Ｓｅｒｖｉｃｅ  Ｒｅｊｅｃｔ」を送信する。
【０００８】
ステップＳ４００３において、移動局ＵＥは、かかる「Ｓｅｒｖｉｃｅ  Ｒｅｊｅｃｔ」を受信すると、タイマ（Ｔ３４４２）を起動し、かかる「Ｓｅｒｖｉｃｅ  Ｒｅｊｅｃｔ」に含まれるタイマ値によって規定されている期間が満了するまでの間、発信処理を行うことができない。
【先行技術文献】
【特許文献】
【０００９】
【特許文献１】特開２０１０-４５７４６号公報
【非特許文献】
【００１０】
【非特許文献１】３ＧＰＰ  ＴＳ２３.２７２
【非特許文献２】３ＧＰＰ  ＴＳ２４.３０１
【非特許文献３】３ＧＰＰ寄書  Ｓ１-１０００２１
【非特許文献４】３ＧＰＰ寄書  Ｓ１-１０００２２
【発明の概要】
【発明が解決しようとする課題】
【００１１】
しかしながら、上述の第１対応策及び第２対応策の両方が適用されると、ＣＳＦＢ用の規制方式に対応しているＲｅｌｅａｓｅ以降のＬＴＥ方式の移動局ＵＥは、第１対応策及び第２対応策によって二重に発信規制が行われてしまうという問題点があった。
【００１２】
そこで、本発明は、上述の課題に鑑みてなされたものであり、ＣＳＦＢ用の規制方式に対応しているか否かに関わらず、移動局に対して適切にＣＳＦＢの発信規制を行うことができる移動通信方法、交換局及び移動局を提供することを目的とする。
【課題を解決するための手段】
【００１３】
本発明の第１の特徴は、回線交換通信をサポートしない第１通信方式の無線アクセスネットワーク配下のセルで待ち受けを行っている移動局が、回線交換通信をサポートしている第２通信方式の無線アクセスネットワーク配下のセルに切り替わって回線交換通信を開始することができる切替通信を提供する移動通信システムにおける移動通信方法であって、移動局が、前記第１通信方式の交換局に対して、前記切替通信用の規制方式に対応しているか否かについて示す能力情報を含む発信要求信号を送信する工程と、前記交換局が、発信規制中に前記発信要求信号を受信した場合で、かつ、前記能力情報によって前記移動局が前記切替通信用の規制方式に対応していると判定した場合に、該移動局の該切替通信に係る処理を行う工程と、前記交換局が、発信規制中に前記発信要求信号を受信した場合で、かつ、前記能力情報によって前記移動局が前記切替通信用の規制方式に対応していないと判定した場合に、該移動局に対して、発信拒否信号を送信する工程とを有することを要旨とする。
【００１４】
本発明の第２の特徴は、回線交換通信をサポートしない第１通信方式の無線アクセスネットワーク配下のセルで待ち受けを行っている移動局が、回線交換通信をサポートしている第２通信方式の無線アクセスネットワーク配下のセルに切り替わって回線交換通信を開始することができる切替通信を提供する移動通信システムで用いられる該第１通信方式の交換局であって、発信規制中に移動局から発信要求信号を受信した場合で、かつ、該発信要求信号に含まれる能力情報によって該移動局が前記切替通信用の規制方式に対応していると判定した場合に、該移動局の該切替通信に係る処理を行うように構成されている通信処理部と、発信規制中に前記移動局から前記発信要求信号を受信した場合で、かつ、該発信要求信号に含まれる能力情報によって該移動局が前記切替通信用の規制方式に対応していないと判定した場合に、該移動局に対して、発信拒否信号を送信するように構成されている規制部とを具備することを要旨とする。
【００１５】
本発明の第３の特徴は、回線交換通信をサポートしない第１通信方式の無線アクセスネットワーク配下のセルで待ち受けを行っている移動局が、回線交換通信をサポートしている第２通信方式の無線アクセスネットワーク配下のセルに切り替わって回線交換通信を開始することができる切替通信を提供する移動通信システムで用いられる移動局であって、前記第１通信方式の交換局に対して、前記切替通信用の規制方式に対応しているか否かについて示す能力情報を含む発信要求信号を送信するように構成されている通信処理部を具備することを要旨とする。
【００１６】
本発明の第４の特徴は、回線交換通信をサポートしない第１通信方式の無線アクセスネットワーク配下のセルで待ち受けを行っている移動局が、回線交換通信をサポートしている第２通信方式の無線アクセスネットワーク配下のセルに切り替わって回線交換通信を開始することができる切替通信を提供する移動通信システムにおける移動通信方法であって、前記第１通信方式の交換局が、移動局の位置登録処理において、前記切替通信用の規制方式に対応しているか否かについて示す能力情報を取得する工程と、前記交換局が、発信規制中に前記移動局から発信要求信号を受信した場合で、かつ、前記能力情報によって前記移動局が前記切替通信用の規制方式に対応していると判定した場合に、該移動局の該切替通信に係る処理を行う工程と、前記交換局が、発信規制中に前記移動局から発信要求信号を受信した場合で、かつ、前記能力情報によって前記移動局が前記切替通信用の規制方式に対応していないと判定した場合に、該移動局に対して、発信拒否信号を送信する工程とを有することを要旨とする。
【００１７】
本発明の第５の特徴は、回線交換通信をサポートしない第１通信方式の無線アクセスネットワーク配下のセルで待ち受けを行っている移動局が、回線交換通信をサポートしている第２通信方式の無線アクセスネットワーク配下のセルに切り替わって回線交換通信を開始することができる切替通信を提供する移動通信システムで用いられる該第１通信方式の交換局であって、移動局の位置登録処理において、前記切替通信用の規制方式に対応しているか否かについて示す能力情報を取得するように構成されている取得部と、発信規制中に前記移動局から発信要求信号を受信した場合で、かつ、前記能力情報によって該移動局が前記切替通信用の規制方式に対応していると判定した場合に、該移動局の該切替通信に係る処理を行うように構成されている通信処理部と、発信規制中に前記移動局から前記発信要求信号を受信した場合で、かつ、前記能力情報によって該移動局が前記切替通信用の規制方式に対応していないと判定した場合に、該移動局に対して、発信拒否信号を送信するように構成されている規制部とを具備することを要旨とする。
【発明の効果】
【００１８】
以上説明したように、本発明によれば、ＣＳＦＢ用の規制方式に対応しているか否かに関わらず、移動局に対して適切にＣＳＦＢの発信規制を行うことができる移動通信方法、交換局及び移動局を提供することができる。
【図面の簡単な説明】
【００１９】
【図１】本発明の第１の実施形態に係る移動通信システムの全体構成図である。
【図２】本発明の第１の実施形態に係る交換局の機能ブロック図である。
【図３】本発明の第１の実施形態に係る移動局の機能ブロック図である。
【図４】本発明の第１の実施形態に係る移動通信システムの動作を示すシーケンス図である。
【図５】本発明の第２の実施形態に係る移動通信システムの動作を示すシーケンス図である。
【図６】本発明の第２の実施形態に係る移動通信システムの動作を示すシーケンス図である。
【図７】本発明の第３の実施形態に係る移動通信システムの動作を示すシーケンス図である。
【図８】本発明の第３の実施形態に係る移動通信システムの動作を示すシーケンス図である。
【図９】従来の移動通信システムの動作を示すシーケンス図である。
【発明を実施するための形態】
【００２０】
（本発明の第１の実施形態に係る移動通信システムの構成）
図１及び図２を参照して、本発明の第１の実施形態に係る移動通信システムの構成について説明する。
【００２１】
図１に示すように、本実施形態に係る移動通信システムは、ＬＴＥ方式の無線アクセスネットワークを収容する移動通信システムであって、交換局ＭＭＥと、無線基地局ｅＮＢとを具備している。
【００２２】
また、本実施形態に係る移動通信システムは、ＬＴＥ方式の無線アクセスネットワーク配下のセルで待ち受けを行っている移動局ＵＥに対して、ＣＳＦＢを提供することができるように構成されている。
【００２３】
図２に示すように、交換局ＭＭＥは、通信処理部１１と、取得部１２と、管理部１３と、規制部１４とを具備している。
【００２４】
通信処理部１１は、ＣＳＦＢに係る処理等の通信処理を行うように構成されている。
【００２５】
取得部１２は、移動局ＵＥから受信した「Ｅｘｔｅｎｄｅｄ  Ｓｅｒｖｉｃｅ  Ｒｅｑｕｅｓｔ」に含まれるＣＳＦＢ規制能力情報を取得するように構成されている。
【００２６】
ここで、ＣＳＦＢ規制能力情報は、ＣＳＦＢ用の規制方式に対応しているか否かについて示す情報である。
【００２７】
なお、ＣＳＦＢ規制能力情報は、ＬＴＥ方式のリリース番号等であってもよい。例えば、ＣＳＦＢ規制能力情報として送信された「Ｒｅｌｅａｓｅ-８」は、ＣＳＦＢ用の規制方式に対応していないことを示す情報であり、ＣＳＦＢ規制能力情報として送信された「Ｒｅｌｅａｓｅ-９」以降のリリース番号は、ＣＳＦＢ用の規制方式に対応していることを示す情報である。
【００２８】
管理部１３は、取得部１２によって取得された各移動局ＵＥに係るＣＳＦＢ規制能力情報を管理するように構成されている。
【００２９】
規制部１４は、交換局ＭＭＥ配下の無線基地局ｅＮＢ配下のセルにおける各種規制（例えば、通常呼の発信規制やＣＳＦＢの発信規制等）を行うように構成されている。
【００３０】
例えば、規制部１４は、発信規制中に、移動局ＵＥから「Ｅｘｔｅｎｄｅｄ  Ｓｅｒｖｉｃｅ  Ｒｅｑｕｅｓｔ」を受信した場合で、かつ、「Ｅｘｔｅｎｄｅｄ  Ｓｅｒｖｉｃｅ  Ｒｅｑｕｅｓｔ」に含まれるＣＳＦＢ規制能力情報によって移動局ＵＥがＣＳＦＢ用の規制方式に対応していないと判定した場合に、移動局ＵＥ（例えば、ＬＴＥ/Ｒｅｌｅａｓｅ-８方式の移動局ＵＥ）に対して、「Ｓｅｒｖｉｃｅ  Ｒｅｊｅｃｔ」を送信するように構成されている。
【００３１】
一方、通信処理部１１は、発信規制中に、移動局ＵＥから「Ｅｘｔｅｎｄｅｄ  Ｓｅｒｖｉｃｅ  Ｒｅｑｕｅｓｔ」を受信した場合で、かつ、「Ｅｘｔｅｎｄｅｄ  Ｓｅｒｖｉｃｅ  Ｒｅｑｕｅｓｔ」に含まれるＣＳＦＢ規制能力情報によって移動局ＵＥがＣＳＦＢ用の規制方式に対応していると判定した場合に、移動局ＵＥ（例えば、ＬＴＥ/Ｒｅｌｅａｓｅ-９方式以降の移動局ＵＥ）のＣＳＦＢに係る処理を行うように構成されている。
【００３２】
図３に示すように、ＣＳＦＢ用の規制方式に対応しているＲｅｌｅａｓｅ方式以降のＬＴＥ方式の移動局ＵＥは、管理部２１と、通信処理部２２とを具備している。
【００３３】
管理部２１は、移動局ＵＥに適用されているＬＴＥ方式のリリース番号を管理するように構成されている。ここで、管理部２１は、かかるＬＴＥ方式のリリース番号とは別に、ＣＳＦＢ用の規制方式に対応しているか否かについて示す情報を管理するように構成されていてもよい。
【００３４】
通信処理部２２は、通常の発信処理やＣＳＦＢ用の発信処理等の通信処理を行うように構成されている。
【００３５】
例えば、通信処理部２２は、ＣＳＦＢ用の規制情報を考慮して、ＣＳＦＢ用の発信処理を行うことができると判定した場合に、交換局ＭＭＥに対して、ＣＳＦＢ用の規制方式に対応しているか否かについて示すＣＳＦＢ規制能力情報を含む「Ｅｘｔｅｎｄｅｄ  Ｓｅｒｖｉｃｅ  Ｒｅｑｕｅｓｔ（ＮＡＳ信号）」を送信するように構成されている。
【００３６】
（本発明の第１の実施形態に係る移動通信システムの動作）
以下、図４を参照して、本発明の第１の実施形態に係る移動通信システムにおける発信規制中の動作について説明する。
【００３７】
図４に示すように、ステップＳ１００１において、移動局ＵＥは、ＣＳＦＢ用の発信処理を行うことができると判定した場合に、交換局ＭＭＥに対して、移動局ＵＥに係るＣＳＦＢ規制能力情報を含む「Ｅｘｔｅｎｄｅｄ  Ｓｅｒｖｉｃｅ  Ｒｅｑｕｅｓｔ」を送信する。
【００３８】
ステップＳ１００２において、交換局ＭＭＥは、「Ｅｘｔｅｎｄｅｄ  Ｓｅｒｖｉｃｅ  Ｒｅｑｕｅｓｔ」に含まれるＣＳＦＢ規制能力情報によって移動局ＵＥがＣＳＦＢ用の規制方式に対応しているか否かについて判定する。
【００３９】
交換局ＭＭＥが、移動局ＵＥがＣＳＦＢ用の規制方式に対応していると判定した場合、ステップＳ１００３において、移動局ＵＥのＣＳＦＢに係る処理が継続される。
【００４０】
一方、交換局ＭＭＥは、移動局ＵＥがＣＳＦＢ用の規制方式に対応していないと判定した場合、ステップＳ１００４において、移動局ＵＥに対して、「Ｃａｕｓｅ＃３９」及びタイマ値を含む「Ｓｅｒｖｉｃｅ  Ｒｅｊｅｃｔ」を送信する。
【００４１】
ステップＳ１００５において、移動局ＵＥは、かかる「Ｓｅｒｖｉｃｅ  Ｒｅｊｅｃｔ」を受信すると、タイマ（Ｔ３４４２）を起動し、かかる「Ｓｅｒｖｉｃｅ  Ｒｅｊｅｃｔ」に含まれるタイマ値によって規定されている期間が満了するまでの間、発信処理を停止する。
【００４２】
（本発明の第１の実施形態に係る移動通信システムの作用・効果）
本発明の第１の実施形態に係る移動通信システムによれば、交換局ＭＭＥは、発信規制中に、ＣＳＦＢ用の規制方式に対応していない移動局ＵＥから「Ｅｘｔｅｎｄｅｄ  Ｓｅｒｖｉｃｅ  Ｒｅｑｕｅｓｔ」を受信した場合であっても、かかる移動局ＵＥのＣＳＦＢ用の発信処理を行わない一方、ＣＳＦＢ用の規制方式に対応している移動局ＵＥから「Ｅｘｔｅｎｄｅｄ  Ｓｅｒｖｉｃｅ  Ｒｅｑｕｅｓｔ」を受信した場合には、かかる移動局ＵＥのＣＳＦＢ用の発信処理を行うように構成されているため、ＣＳＦＢ用の規制方式に対応している移動局ＵＥに対する二重規制を回避しつつ、適切な発信規制を行うことができる。
【００４３】
（本発明の第２の実施形態）
図５及び図６を参照して、本発明の第２の実施形態に係る移動通信システムについて説明する。以下、本実施形態に係る移動通信システムについて、上述の第１の実施形態に係る移動通信システムとの相違点に着目して説明する。
【００４４】
本実施形態に係る移動通信システムでは、交換局ＭＭＥの取得部１２は、移動局ＵＥの位置登録処理において、「Ａｔｔａｃｈ  Ｒｅｑｕｅｓｔ（又は、Ｔｒａｃｋｉｎｇ  Ａｒｅａ  Ｕｐｄａｔｅ）」を介して、かかる移動局ＵＥがＣＳＦＢ用の規制方式に対応しているか否かについて示すＣＳＦＢ規制能力情報を取得するように構成されている。
【００４５】
以下、図５及び図６を参照して、本発明の第２の実施形態に係る移動通信システムにおける発信規制中の動作について説明する。
【００４６】
図５に示すように、移動局ＵＥは、ステップＳ２００１において、無線基地局ｅＮＢとの間でＲＲＣコネクションを設定した後、ステップＳ２００２において、かかるＲＲＣコネクションを介して、交換局ＭＭＥに対して、「Ａｔｔａｃｈ  Ｒｅｑｕｅｓｔ（又は、Ｔｒａｃｋｉｎｇ  Ａｒｅａ  Ｕｐｄａｔｅ）」を送信する。
【００４７】
ステップＳ２００３において、交換局ＭＭＥは、無線基地局ｅＮＢに対して、「Ｉｎｉｔｉａｌ  Ｃｏｎｔｅｘｔ  Ｓｅｔｕｐ  Ｒｅｑｕｅｓｔ」を送信し、ステップＳ２００４において、無線基地局ｅＮＢは、交換局ＭＭＥに対して、「Ｉｎｉｔｉａｌ  Ｃｏｎｔｅｘｔ  Ｓｅｔｕｐ  Ｒｅｓｐｏｎｓｅ」を送信する。
【００４８】
ステップＳ２００５において、無線基地局ｅＮＢは、移動局ＵＥに対して、「ＵＥ  Ｃａｐａｂｉｌｉｔｙ  Ｅｎｑｕｉｒｙ」を送信し、ステップＳ２００６において、移動局ＵＥは、無線基地局ｅＮＢに対して、移動局ＵＥに係るＣＳＦＢ規制能力情報を含む「ＵＥ  Ｃａｐａｂｉｌｉｔｙ  Ｉｎｆｏｒｍａｔｉｏｎ」を送信する。
【００４９】
ステップＳ２００７において、無線基地局ｅＮＢは、交換局ＭＭＥに対して、当該ＣＳＦＢ規制能力情報を含む「ＵＥ  Ｃａｐａｂｉｌｉｔｙ  Ｉｎｆｏ  Ｉｎｄｉｃａｔｉｏｎ」を送信する。
【００５０】
ステップＳ２００８において、交換局ＭＭＥは、かかる「ＵＥ  Ｃａｐａｂｉｌｉｔｙ  Ｉｎｆｏ  Ｉｎｄｉｃａｔｉｏｎ」から当該ＣＳＦＢ規制能力情報を取得して、管理部１３において当該ＣＳＦＢ規制能力情報を管理する。
【００５１】
次に、図６に示すように、ステップＳ３００１において、移動局ＵＥは、ＣＳＦＢ用の発信処理を行うことができると判定した場合に、交換局ＭＭＥに対して、「Ｅｘｔｅｎｄｅｄ  Ｓｅｒｖｉｃｅ  Ｒｅｑｕｅｓｔ」を送信する。
【００５２】
ステップＳ３００２において、交換局ＭＭＥは、「Ｅｘｔｅｎｄｅｄ  Ｓｅｒｖｉｃｅ  Ｒｅｑｕｅｓｔ」を受信した場合に、管理部１３において管理されているＣＳＦＢ規制能力情報によって移動局ＵＥがＣＳＦＢ用の規制方式に対応しているか否かについて判定する。
【００５３】
交換局ＭＭＥが、移動局ＵＥがＣＳＦＢ用の規制方式に対応していると判定した場合、ステップＳ３００３において、移動局ＵＥのＣＳＦＢに係る処理が継続される。
【００５４】
一方、交換局ＭＭＥは、移動局ＵＥがＣＳＦＢ用の規制方式に対応していないと判定した場合、ステップＳ３００４において、移動局ＵＥに対して、「Ｃａｕｓｅ＃３９」及びタイマ値を含む「Ｓｅｒｖｉｃｅ  Ｒｅｊｅｃｔ」を送信する。
【００５５】
ステップＳ３００５において、移動局ＵＥは、かかる「Ｓｅｒｖｉｃｅ  Ｒｅｊｅｃｔ」を受信すると、タイマ（Ｔ３４４２）を起動し、かかる「Ｓｅｒｖｉｃｅ  Ｒｅｊｅｃｔ」に含まれるタイマ値によって規定されている期間が満了するまでの間、発信処理を停止する。
【００５６】
（本発明の第３の実施形態）
図７及び図８を参照して、本発明の第３の実施形態に係る移動通信システムについて説明する。以下、本実施形態に係る移動通信システムについて、上述の第２の実施形態に係る移動通信システムとの相違点に着目して説明する。
【００５７】
本実施形態に係る移動通信システムでは、交換局ＭＭＥの取得部１２は、移動局ＵＥの位置登録処理において、「Ａｔｔａｃｈ  Ｒｅｑｕｅｓｔ（又は、Ｔｒａｃｋｉｎｇ  Ａｒｅａ  Ｕｐｄａｔｅ）」に、かかる移動局ＵＥがＣＳＦＢ用の規制方式に対応しているか否かについて示すＣＳＦＢ規制能力情報を取得するように構成されている。
【００５８】
以下、図７及び図８を参照して、本発明の第３の実施形態に係る移動通信システムにおける発信規制中の動作について、上述実施形態を説明する。
【００５９】
図７に示すように、移動局ＵＥは、ステップＳ５００１において、無線基地局ｅＮＢとの間でＲＲＣコネクションを設定した後、ステップＳ５００２において、かかるＲＲＣコネクションを介して、交換局ＭＭＥに対して、当該ＣＳＦＢ規制能力を含む「Ａｔｔａｃｈ  Ｒｅｑｕｅｓｔ（又は、Ｔｒａｃｋｉｎｇ  Ａｒｅａ  Ｕｐｄａｔｅ）」を送信する。
【００６０】
ステップＳ５００３において、交換局ＭＭＥは、かかる「Ａｔｔａｃｈ  Ｒｅｑｕｅｓｔ（又は、Ｔｒａｃｋｉｎｇ  Ａｒｅａ  Ｕｐｄａｔｅ）」から当該ＣＳＦＢ規制能力情報を取得して、管理部１３において当該ＣＳＦＢ規制能力情報を管理する。
【００６１】
ステップＳ５００４において、交換局ＭＭＥは、無線基地局ｅＮＢに対して、「Ｉｎｉｔｉａｌ  Ｃｏｎｔｅｘｔ  Ｓｅｔｕｐ  Ｒｅｑｕｅｓｔ」を送信し、ステップＳ５００５において、無線基地局ｅＮＢは、交換局ＭＭＥに対して、「Ｉｎｉｔｉａｌ  Ｃｏｎｔｅｘｔ  Ｓｅｔｕｐ  Ｒｅｓｐｏｎｓｅ」を送信する。
【００６２】
ステップＳ５００６において、無線基地局ｅＮＢは、移動局ＵＥに対して、「ＵＥ  Ｃａｐａｂｉｌｉｔｙ  Ｅｎｑｕｉｒｙ」を送信し、ステップＳ２００７において、移動局ＵＥは、無線基地局ｅＮＢに対して、「ＵＥ  Ｃａｐａｂｉｌｉｔｙ  Ｉｎｆｏｒｍａｔｉｏｎ」を送信する。
【００６３】
ステップＳ５００８において、無線基地局ｅＮＢは、交換局ＭＭＥに対して、「ＵＥ  Ｃａｐａｂｉｌｉｔｙ  Ｉｎｆｏ  Ｉｎｄｉｃａｔｉｏｎ」を送信する。
【００６４】
次に、図８に示すように、ステップＳ６００１において、移動局ＵＥは、ＣＳＦＢ用の発信処理を行うことができると判定した場合に、交換局ＭＭＥに対して、「Ｅｘｔｅｎｄｅｄ  Ｓｅｒｖｉｃｅ  Ｒｅｑｕｅｓｔ」を送信する。
【００６５】
ステップＳ６００２において、交換局ＭＭＥは、「Ｅｘｔｅｎｄｅｄ  Ｓｅｒｖｉｃｅ  Ｒｅｑｕｅｓｔ」を受信した場合に、管理部１３において管理されているＣＳＦＢ規制能力情報によって移動局ＵＥがＣＳＦＢ用の規制方式に対応しているか否かについて判定する。
【００６６】
交換局ＭＭＥが、移動局ＵＥがＣＳＦＢ用の規制方式に対応していると判定した場合、ステップＳ６００３において、移動局ＵＥのＣＳＦＢに係る処理が継続される。
【００６７】
一方、交換局ＭＭＥは、移動局ＵＥがＣＳＦＢ用の規制方式に対応していないと判定した場合、ステップＳ６００４において、移動局ＵＥに対して、「Ｃａｕｓｅ＃３９」及びタイマ値を含む「Ｓｅｒｖｉｃｅ  Ｒｅｊｅｃｔ」を送信する。
【００６８】
ステップＳ６００５において、移動局ＵＥは、かかる「Ｓｅｒｖｉｃｅ  Ｒｅｊｅｃｔ」を受信すると、タイマ（Ｔ３４４２）を起動し、かかる「Ｓｅｒｖｉｃｅ  Ｒｅｊｅｃｔ」に含まれるタイマ値によって規定されている期間が満了するまでの間、発信処理を停止する。
【００６９】
以上に述べた本実施形態の特徴は、以下のように表現されていてもよい。
【００７０】
本実施形態の第１の特徴は、Ｅ-ＵＴＲＡＮ（回線交換通信をサポートしない第１通信方式の無線アクセスネットワーク）配下のセルで待ち受けを行っている移動局ＵＥが、ＵＴＲＡＮ（回線交換通信をサポートしている第２通信方式の無線アクセスネットワーク）配下のセルに切り替わって回線交換通信を開始することができるＣＳＦＢ（切替通信）を提供する移動通信システムにおける移動通信方法であって、移動局ＵＥが、交換局ＭＭＥ（第１通信方式の交換局）に対して、ＣＳＦＢ（切替通信）用の規制方式に対応しているか否かについて示すＣＳＦＢ規制能力情報（能力情報）を含む「Ｅｘｔｅｎｄｅｄ  Ｓｅｒｖｉｃｅ  Ｒｅｑｕｅｓｔ（発信要求信号）」を送信する工程と、交換局ＭＭＥが、発信規制中に「Ｅｘｔｅｎｄｅｄ  Ｓｅｒｖｉｃｅ  Ｒｅｑｕｅｓｔ」を受信した場合で、かつ、ＣＳＦＢ規制能力情報によって移動局ＵＥがＣＳＦＢ用の規制方式に対応していると判定した場合に、移動局ＵＥのＣＳＦＢに係る処理を行う工程と、交換局ＭＭＥが、発信規制中に「Ｅｘｔｅｎｄｅｄ  Ｓｅｒｖｉｃｅ  Ｒｅｑｕｅｓｔ」を受信した場合で、かつ、ＣＳＦＢ規制能力情報によって移動局ＵＥがＣＳＦＢ用の規制方式に対応していないと判定した場合に、移動局ＵＥに対して、「Ｓｅｒｖｉｃｅ  Ｒｅｊｅｃｔ（発信拒否信号）」を送信する工程とを有することを要旨とする。
【００７１】
本実施形態の第２の特徴は、ＣＳＦＢを提供する移動通信システムで用いられる交換局ＭＭＥであって、発信規制中に移動局ＵＥから「Ｅｘｔｅｎｄｅｄ  Ｓｅｒｖｉｃｅ  Ｒｅｑｕｅｓｔ」を受信した場合で、かつ、「Ｅｘｔｅｎｄｅｄ  Ｓｅｒｖｉｃｅ  Ｒｅｑｕｅｓｔ」に含まれるＣＳＦＢ規制能力情報によって移動局ＵＥがＣＳＦＢ用の規制方式に対応していると判定した場合に、移動局ＵＥのＣＳＦＢに係る処理を行うように構成されている通信処理部１１と、発信規制中に移動局ＵＥから「Ｅｘｔｅｎｄｅｄ  Ｓｅｒｖｉｃｅ  Ｒｅｑｕｅｓｔ」を受信した場合で、かつ、「Ｅｘｔｅｎｄｅｄ  Ｓｅｒｖｉｃｅ  Ｒｅｑｕｅｓｔ」に含まれるＣＳＦＢ規制能力情報によって移動局ＵＥがＣＳＦＢ用の規制方式に対応していないと判定した場合に、移動局ＵＥに対して、「Ｓｅｒｖｉｃｅ  Ｒｅｊｅｃｔ」を送信するように構成されている規制部１４とを具備することを要旨とする。
【００７２】
本実施形態の第３の特徴は、ＣＳＦＢを提供する移動通信システムで用いられる移動局ＵＥであって、交換局ＭＭＥに対して、ＣＳＦＢ用の規制方式に対応しているか否かについて示すＣＳＦＢ規制能力情報を含む「Ｅｘｔｅｎｄｅｄ  Ｓｅｒｖｉｃｅ  Ｒｅｑｕｅｓｔ」を送信するように構成されている通信処理部２２を具備することを要旨とする。
【００７３】
本実施形態の第４の特徴は、ＣＳＦＢを提供する移動通信システムにおける移動通信方法であって、交換局ＭＭＥが、移動局ＵＥの位置登録処理において、ＣＳＦＢ用の規制方式に対応しているか否かについて示すＣＳＦＢ規制能力情報を取得する工程と、交換局ＭＭＥが、発信規制中に移動局ＵＥから「Ｅｘｔｅｎｄｅｄ  Ｓｅｒｖｉｃｅ  Ｒｅｑｕｅｓｔ」を受信した場合で、かつ、ＣＳＦＢ規制能力情報によって移動局ＵＥがＣＳＦＢ用の規制方式に対応していると判定した場合に、移動局ＵＥのＣＳＦＢに係る処理を行う工程と、交換局ＭＭＥが、発信規制中に移動局ＵＥから「Ｅｘｔｅｎｄｅｄ  Ｓｅｒｖｉｃｅ  Ｒｅｑｕｅｓｔ」を受信した場合で、かつ、ＣＳＦＢ規制能力情報によって移動局ＵＥがＣＳＦＢ用の規制方式に対応していないと判定した場合に、移動局ＵＥに対して、「Ｓｅｒｖｉｃｅ  Ｒｅｊｅｃｔ」を送信する工程とを有することを要旨とする。
【００７４】
本実施形態の第５の特徴は、ＣＳＦＢを提供する移動通信システムで用いられる交換局ＭＭＥであって、移動局ＵＥの位置登録処理において、ＣＳＦＢ用の規制方式に対応しているか否かについて示すＣＳＦＢ規制能力情報を取得するように構成されている取得部１２と、発信規制中に移動局ＵＥから「Ｅｘｔｅｎｄｅｄ  Ｓｅｒｖｉｃｅ  Ｒｅｑｕｅｓｔ」を受信した場合で、かつ、ＣＳＦＢ規制能力情報によって移動局ＵＥがＣＳＦＢ用の規制方式に対応していると判定した場合に、移動局ＵＥのＣＳＦＢに係る処理を行うように構成されている通信処理部１１と、発信規制中に移動局ＵＥから「Ｅｘｔｅｎｄｅｄ  Ｓｅｒｖｉｃｅ  Ｒｅｑｕｅｓｔ」を受信した場合で、かつ、ＣＳＦＢ規制能力情報によって移動局ＵＥがＣＳＦＢ用の規制方式に対応していないと判定した場合に、移動局ＵＥに対して、「Ｓｅｒｖｉｃｅ  Ｒｅｊｅｃｔ」を送信するように構成されている規制部１４とを具備することを要旨とする。
【００７５】
なお、上述の交換局ＭＭＥ、無線基地局ｅＮＢ及び移動局ＵＥの動作は、ハードウェアによって実施されてもよいし、プロセッサによって実行されるソフトウェアモジュールによって実施されてもよいし、両者の組み合わせによって実施されてもよい。
【００７６】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７７】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、交換局ＭＭＥ、無線基地局ｅＮＢ及び移動局ＵＥ内に設けられていてもよい。また、かかる記憶媒体及びプロセッサは、ディスクリートコンポーネントとして交換局ＭＭＥ、無線基地局ｅＮＢ及び移動局ＵＥ内に設けられていてもよい。
【００７８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００７９】
ｅＮＢ…無線基地局
ＭＭＥ…交換局
ＵＥ…移動局
１１、２２…通信処理部
１２…取得部
１３、２１…管理部
１４…規制部
【図１】
2011228965.tif 000003
【図２】
2011228965.tif 000004
【図３】
2011228965.tif 000005
【図４】
2011228965.tif 000006
【図５】
2011228965.tif 000007
【図６】
2011228965.tif 000008
【図７】
2011228965.tif 000009
【図８】
2011228965.tif 000010
【図９】
2011228965.tif 000011
【手続補正書】
【提出日】平成23年2月4日(2011.2.4)
【手続補正１】
【補正対象書類名】特許請求の範囲
【補正対象項目名】全文
【補正方法】変更
【補正の内容】
【特許請求の範囲】
【請求項１】
回線交換通信をサポートしない第１通信方式の無線アクセスネットワーク配下のセルで待ち受けを行っている移動局が、回線交換通信をサポートしている第２通信方式の無線アクセスネットワーク配下のセルに切り替わって回線交換通信を開始することができる切替通信を提供する移動通信システムにおける移動通信方法であって、
移動局が、前記第１通信方式の交換局に対して、前記切替通信用の規制方式に対応しているか否かについて示す能力情報を含む発信要求信号を送信する工程と、
前記交換局が、発信規制中に前記発信要求信号を受信した場合で、かつ、前記能力情報によって前記移動局が前記切替通信用の規制方式に対応していると判定した場合に、該移動局の該切替通信に係る処理を行う工程と、
前記交換局が、発信規制中に前記発信要求信号を受信した場合で、かつ、前記能力情報によって前記移動局が前記切替通信用の規制方式に対応していないと判定した場合に、該移動局に対して、発信拒否信号を送信する工程とを有することを特徴とする移動通信方法。
【請求項２】
回線交換通信をサポートしない第１通信方式の無線アクセスネットワーク配下のセルで待ち受けを行っている移動局が、回線交換通信をサポートしている第２通信方式の無線アクセスネットワーク配下のセルに切り替わって回線交換通信を開始することができる切替通信を提供する移動通信システムで用いられる該第１通信方式の交換局であって、
発信規制中に移動局から発信要求信号を受信した場合で、かつ、該発信要求信号に含まれる能力情報によって該移動局が前記切替通信用の規制方式に対応していると判定した場合に、該移動局の該切替通信に係る処理を行うように構成されている通信処理部と、
発信規制中に前記移動局から前記発信要求信号を受信した場合で、かつ、該発信要求信号に含まれる能力情報によって該移動局が前記切替通信用の規制方式に対応していないと判定した場合に、該移動局に対して、発信拒否信号を送信するように構成されている規制部とを具備することを特徴とする交換局。
【請求項３】
回線交換通信をサポートしない第１通信方式の無線アクセスネットワーク配下のセルで待ち受けを行っている移動局が、回線交換通信をサポートしている第２通信方式の無線アクセスネットワーク配下のセルに切り替わって回線交換通信を開始することができる切替通信を提供する移動通信システムで用いられる移動局であって、
前記第１通信方式の交換局に対して、前記切替通信用の規制方式に対応しているか否かについて示す能力情報を含む発信要求信号を送信するように構成されている通信処理部を具備することを特徴とする移動局。
【請求項４】
回線交換通信をサポートしない第１通信方式の無線アクセスネットワーク配下のセルで待ち受けを行っている移動局が、回線交換通信をサポートしている第２通信方式の無線アクセスネットワーク配下のセルに切り替わって回線交換通信を開始することができる切替通信を提供する移動通信システムにおける移動通信方法であって、
前記第１通信方式の交換局が、移動局の位置登録処理において、前記切替通信用の規制方式に対応しているか否かについて示す能力情報を取得する工程と、
前記交換局が、発信規制中に前記移動局から発信要求信号を受信した場合で、かつ、前記能力情報によって前記移動局が前記切替通信用の規制方式に対応していると判定した場合に、該移動局の該切替通信に係る処理を行う工程と、
前記交換局が、発信規制中に前記移動局から発信要求信号を受信した場合で、かつ、前記能力情報によって前記移動局が前記切替通信用の規制方式に対応していないと判定した場合に、該移動局に対して、発信拒否信号を送信する工程とを有することを特徴とする移動通信方法。
【請求項５】
回線交換通信をサポートしない第１通信方式の無線アクセスネットワーク配下のセルで待ち受けを行っている移動局が、回線交換通信をサポートしている第２通信方式の無線アクセスネットワーク配下のセルに切り替わって回線交換通信を開始することができる切替通信を提供する移動通信システムで用いられる該第１通信方式の交換局であって、
移動局の位置登録処理において、前記切替通信用の規制方式に対応しているか否かについて示す能力情報を取得するように構成されている取得部と、
発信規制中に前記移動局から発信要求信号を受信した場合で、かつ、前記能力情報によって該移動局が前記切替通信用の規制方式に対応していると判定した場合に、該移動局の該切替通信に係る処理を行うように構成されている通信処理部と、
発信規制中に前記移動局から前記発信要求信号を受信した場合で、かつ、前記能力情報によって該移動局が前記切替通信用の規制方式に対応していないと判定した場合に、該移動局に対して、発信拒否信号を送信するように構成されている規制部とを具備することを特徴とする交換局。
【請求項６】
回線交換通信をサポートしない第１通信方式の無線アクセスネットワーク配下のセルで待ち受けを行っている移動局が、回線交換通信をサポートしている第２通信方式の無線アクセスネットワーク配下のセルに切り替わって回線交換通信を開始することができる切替通信を提供する移動通信システムで用いられる移動局であって、
前記第１通信方式の交換局に対して、前記切替通信用の規制方式に対応しているか否かについて示す能力情報を含む位置登録要求信号を送信するように構成されている通信処理部を具備することを特徴とする移動局。